(57)【要約】      （修正有）【課題】飛体を飛行させて遊ぶ飛行玩具において、乾電池を不要としてコスト減を図ると共に、乾電池の消耗を気にせず、交換用乾電池を用意せずとも存分に遊べる飛行玩具を提供する。【解決手段】飛体４０と、ハンドル７を具備した発電ユニット１と、飛体４０に搭載され、回転羽根部２１を具備した駆動ユニット２０と、発電ユニット１と駆動ユニット２０を連結するためのコード１５とを具備した飛行玩具１００であって、発電ユニット１のハンドル７の回転により電力を発生させて駆動ユニット２０を駆動させ、回転羽根部２１を回転させることで、飛体４０を浮揚させることを特徴とする飛行玩具１００である。【選択図】図１
0003177449.tif 000002
【実用新案登録請求の範囲】
【請求項１】
飛体と、
ハンドルを具備した発電ユニットと、
前記飛体に搭載され、回転羽根部を具備した駆動ユニットと、
前記発電ユニットと前記駆動ユニットを連結するためのコードとを具備した飛行玩具であって、
前記発電ユニットのハンドルの回転により電力を発生させて前記駆動ユニットを駆動させ、前記回転羽根部を回転させることで、前記飛体を浮揚させることを特徴とする飛行玩具。
【請求項２】
前記飛体は、発泡性素材により形成されるとともに、半分割されており、内部に前記駆動ユニットを搭載して組立可能に形成されていることを特徴とする請求項１に記載の飛行玩具。
【請求項３】
前記回転羽根部は、同一軸上で互いに異なる方向に回転する第１ローターと第２ローターを具備し、前記第１ローターおよび前記第２ローターは、前記飛体の頂部より上方に向かって２段に配設されることを特徴とする請求項１または請求項２に記載の飛行玩具。
【考案の詳細な説明】
【技術分野】
【０００１】
本考案は、ハンドルの回転で発電した電力により羽根を回転させて、飛体を飛行させる飛行玩具に関する。
【背景技術】
【０００２】
従来より、例えば、ヘリコプタ玩具のように、羽根を回転させて飛体を飛行させる飛行玩具は人気の絶えることのない玩具である。この種の飛行玩具としては、使用者が、飛体に搭載された受信機へ送信機からの操作信号を送ることで、空中での飛行を遠隔操作して楽しむものが主流である（特許文献１）。
【先行技術文献】
【特許文献】
【０００３】
【特許文献１】特開２０１０−７５５６８号公報
【考案の概要】
【考案が解決しようとする課題】
【０００４】
しかしながら、上記のように遠隔操作が行われる飛行玩具においては、受信機や送信機に乾電池等のバッテリーを使用する。このような飛行玩具では電池が消耗するため、頻繁に電池を購入して交換しなければならなかった。逆に、常に電池の消耗を気にしていると、存分に遊ぶことができず、また、屋外で遊ぶ場合にも交換用の電池を持ち歩かなければならないという欠点もあった。
【０００５】
本考案は、このような問題に鑑みてなされたものであり、乾電池を不要としてコスト減を図ると共に、乾電池の消耗を気にせず、交換用乾電池を用意せずとも存分に遊べる飛行玩具を提供することを目的とするものである。
【課題を解決するための手段】
【０００６】
前述した目的を達成するために、本考案は、飛体と、ハンドルを具備した発電ユニットと、前記飛体に搭載され、回転羽根部を具備した駆動ユニットと、前記発電ユニットと前記駆動ユニットを連結するためのコードとを具備した飛行玩具であって、前記発電ユニットのハンドルの回転により電力を発生させて前記駆動ユニットを駆動させ、前記回転羽根部を回転させることで、前記飛体を浮揚させることを特徴とする飛行玩具である。
【０００７】
本考案によれば、使用者が、発電ユニットのハンドルと回転させると、発電ユニット内で電力が発生する。発電ユニットは、コードによって駆動ユニットに連結されている。このため、発電ユニット内で発生した電力を駆動ユニットへ伝達し、駆動ユニットを駆動させる。このとき、駆動ユニットでは、回転羽根部が回転し、飛体が浮揚する。
【０００８】
このように、使用者自身が発電ユニットによって電力を発生させて、その電力により飛体を浮揚させるので、乾電池等を使用した送信機や受信機が不要となる。したがって、乾電池が不要ゆえのコスト減を図ることができるとともに、乾電池の消耗を気にせず、交換用乾電池を用意せずとも存分に遊べる飛行玩具を提供することができる。
【０００９】
また、前記飛体は、発泡性素材により形成されるとともに、半分割されており、内部に前記駆動ユニットを搭載して組立可能に形成されるようにしてもよい。
【００１０】
このような構成とすることで、飛体が軽量化され、より一層浮揚しやすい。また、飛体を半分割としたことにより、使用者が低年齢の子どもであっても組み立てやすい。したがって、子供用の学習教材や玩具としても好適である。
【００１１】
また、前記回転羽根部は、同一軸上で互いに異なる方向に回転する第１ローターと第２ローターを具備し、前記第１ローターおよび前記第２ローターは、前記飛体の頂部より上方に向かって２段に配設されるようにしてもよい。
【００１２】
このように構成することで、第１ローターと第２ローターは同期して互いに正、逆方向に回転する。このため、一方のローターの回転により発生する反動トルクを他方のローターの回転によって打ち消すことができる。加えて、第１ローターと第２ローターが飛体の頂部より上方に向かって２段に配設されているので、飛体本体が回転してしまうことがなく、安定して、上方に浮揚したり離着陸することができる。
【考案の効果】
【００１３】
本考案によれば、乾電池を不要としてコスト減を図ると共に、乾電池の消耗を気にせず、交換用乾電池を用意せずとも存分に遊べる飛行玩具を提供することができる。
【図面の簡単な説明】
【００１４】
【図１】飛行玩具１００の全体構成図。
【図２】発電ユニット１の分解図。
【図３】飛体４０を半分割した状態の飛体前部４０ａを示す図。
【図４】飛体４０を半分割した状態の飛体後部４０ｂと駆動ユニット２０を示す図。
【考案を実施するための形態】
【００１５】
以下、図面を参照にしながら本考案の実施形態について説明する。
【００１６】
図１は飛行玩具１００の全体構成図である。飛行玩具１００は、主に、発電ユニット１と、回転羽根部２１を具備した駆動ユニット２０と、駆動ユニット２０を搭載する飛体４０と、発電ユニット１と駆動ユニット２０を電気的に接続するコード１５により構成される。
【００１７】
飛体４０は、例えば、発泡性素材（発泡スチロールなど）で構成される。飛体４０の内部には、駆動ユニット２０の一部が搭載される。なお、飛体４０は、例えばキャラクター形状など、任意の形態とすることができる。
【００１８】
飛体４０の頂部には、穴４１が形成され、駆動ユニット２０の第２軸２９が貫通する。第２軸２９の内部には、第１軸２５が配置され、第２軸２９の上方で露出する。第１軸２５および第２軸２９には、それぞれ第１ローター２３、第２ローター２７が設けられる。すなわち、飛体４０には、第１ローター２３および第２ローター２７からなる回転羽根部２１が設けられる。なお、駆動ユニット２０の詳細は後述する。
【００１９】
飛体４０内部の駆動ユニット２０には、コード１５を介して発電ユニット１が接続される。発電ユニット１には、ハンドル７が設けられる。発電ユニット１は、ハンドル７を回転することで、ケース３内部で発電することができる。発電ユニット１で発電された電力は、コード１５によって駆動ユニット２０に供給される。駆動ユニット２０は、供給された電力によって回転羽根部２１を回転駆動させる。このようにして、回転羽根部２１が回転することによる揚力によって、飛体４０を浮揚することができる。
【００２０】
以下に、飛行玩具１００を構成する各部位について詳細に説明する。はじめに、図２を参照しながら、発電ユニット１の構成について説明する。図２は、発電ユニット１の分解図である。
【００２１】
発電ユニット１は、主に、ハンドル７と、ハンドル７の回転によって噛合される複数の歯車からなるギア１１と発電モータ１３、そしてこれらを搭載するケース３により構成されている。
【００２２】
ケース３は、半分割した中空の筒状体を組み立てたものである。ケース３の片側には、突起１７が複数個形成されている。また、他方側には、上述した突起１７に対応して突起嵌合部５が形成されている。ケース３は、突起１７と突起嵌合部５を嵌合させることにより容易に組み立てられる。
【００２３】
ケース３内部の軸９には、ハンドル７の嵌合部７ａが嵌合する。また、ケース３内部には、ハンドル７の回転を伝達する発電モータ１３の軸９と、ハンドル７の回転速度を増速させるギア１１と発電モータ１３、さらに発生した電力を後述する駆動ユニット２０に供給するコード１５が搭載されている。
【００２４】
続いて、図３および図４を参照しながら、駆動ユニット２０および飛体４０の構成について説明する。
【００２５】
飛体４０は、半分割された中空の、飛体前部４０ａおよび飛体後部４０ｂからなる。飛体前部４０ａの、飛体後部４０ｂとの接合部分には、突起４７ａおよび突起４７ｂが形成されている。一方、飛体後部４０ｂの、飛体前部４０ａとの接合部分には、上述した突起４７ａおよび突起４７ｂに対応して、突起嵌合部４９ａおよび突起嵌合部４９ｂが形成されている。したがって、飛体前部４０ａおよび飛体後部４０ｂを嵌合させると、内部には空洞が形成される。
【００２６】
さらに、飛体前部４０ａおよび飛体後部４０ｂにより形成される空洞には、駆動ユニット搭載部４３が形成されている。駆動ユニット搭載部４３は、駆動ユニット２０を搭載するための部位である。また、発電ユニット１において発生する電力を駆動ユニット２０へ供給するコード１５のためのコード穴４５も形成されている。さらに、頂部には、穴４１が形成されている。これは、後述する回転羽根部２１の第２軸２９を貫通させるものである。
【００２７】
なお、飛体４０の素材としては、発泡性素材を用い、内部を空洞にすることで、飛体４０は軽量化され、より一層浮揚しやすくなる。
【００２８】
続いて、駆動ユニット２０について説明する。駆動ユニット２０は、回転羽根部２１と駆動部３１とにより構成されている。
【００２９】
回転羽根部２１は、飛体４０の頂部より上方に向かって２段に配設される第１ローター２３および第２ローター２７を具備している。また、第１ローター２３の回転軸となる第１軸２５と第２ローター２７の回転軸となる第２軸２９は同一軸上に配設されている。具体的には、第２軸２９は中空に形成されており、第１軸２５は第２軸２９の内部を貫通して、第２軸と共に駆動部へ連結されている。
【００３０】
第１ローター２３は、主羽根２３ａと補助羽根２３ｂの各々が第１軸２５に取り付けられている。主羽根２３ａは幅広の薄板で先端部に厚みを持たせている。また、補助羽根２３ｂは、主羽根２３ａよりも細い棒状であるが、先端部は幅広に形成されている。素材としては、ある程度の剛性と可撓性を併せ持つ樹脂が好適である。このように主羽根および補助羽根を形成することで、回転時の遠心力に対して羽根自身がぶれることなく安定して回転することができる。
【００３１】
同様に、第２ローター２７においても、主羽根２７ａと補助羽根２７ｂが第２軸２９に取り付けられている。なお、形状や素材については、第１ローター２３と同様であるため説明を省略する。
【００３２】
また、駆動部３１は、発電ユニット１から供給される電力により駆動する駆動モータ３５と、駆動モータ３５の駆動力を回転羽根部２１に伝達する複数の歯車からなるギア３７とにより構成されている。また、駆動モータ３５やギア３７は、枠３３に保持されて、飛体後部４０ｂ内部の駆動ユニット搭載部４３に搭載されるようになっている。
【００３３】
ギア３７は、駆動モータ３５の駆動力を複数の歯車を噛合させて減速させ、第１ローター２３および第２ローター２７の回転力を増大させる。また、第１ローター２３の第１軸２５と第２ローター２７の第２軸２９がギア３７に連結されているので、互いに正、逆異なる方向に回転する。これに伴い、第１ローター２３と第２ローター２７も同期しつつ、互いに正、逆の異なる方向に回転する。
【００３４】
以上、説明したように、飛行玩具１００は、半分割された発電ユニット１および飛体４０の各突起と突起嵌合部を嵌合させることで容易に組み立てられる。このようにして組み立てられた飛行玩具１００において、使用者が、発電ユニット１のハンドル７を所定方向に回転させると、ギア１１を介して増速し、発電モータ１３が駆動し、発電する。この電力は、コード１５によって駆動モータ３５に供給される。駆動モータ３５の駆動力は、ギア３７によって減速し、第１ローター２３と第２ローター２７の回転力を増大させる。また、ギア３７によって、第１ローター２３と第２ローター２７を同期して正逆異なる方向に回転させる。したがって、反動トルクにより飛体４０本体が回転してしまうことなく、安定して上方に浮遊したり、離着陸することができる。
【００３５】
したがって、乾電池を不要としてコスト減を図ると共に、乾電池の消耗を気にせず、交換用乾電池を持ち歩かずとも長時間遊べる飛行玩具１００を提供することができる。
【００３６】
また、発電ユニット１および飛体４０は、半分割された状態から各突起と突起嵌合部を嵌合させるだけなので、低年齢の子どもであっても容易に組み立てられる。このため、学習教材や子ども向け玩具としても好適である。また、飛体４０は、玩具として親しみの湧くデザインに仕上げるのが良好である。
【００３７】
以上、添付図を参照しながら、本考案の実施の形態を説明したが、本考案の技術的範囲は、前述した実施の形態に左右されない。当業者であれば、実用新案登録請求の範囲に記載された技術的思想の範疇内において各種の変更例または修正例に想到し得ることは明らかであり、それらについても当然に本考案の技術的範囲に属するものと了解される。
【符号の説明】
【００３８】
１………発電ユニット
３………ケース
５………突起嵌合部
７………ハンドル
７ａ………嵌合部
９………軸
１１………ギア
１３………発電モータ
１５………コード
１７………突起
２０………駆動ユニット
２１………回転羽根部
２３………第１ローター
２３ａ………主羽根
２３ｂ………補助羽根
２５………第１軸
２７………第２ローター
２７ａ………主羽根
２７ｂ………補助羽根
２９………第２軸
３１………駆動部
３３………枠
３５………駆動モータ
３７………ギア
４０………飛体
４０ａ………飛体前部
４０ｂ………飛体後部
４１………穴
４３………駆動ユニット搭載部
４５………コード穴
４７ａ、４７ｂ………突起
４９ａ、４９ｂ………突起嵌合部
１００………飛行玩具
【図１】
0003177449.tif 000003
【図２】
0003177449.tif 000004
【図３】
0003177449.tif 000005
【図４】
0003177449.tif 000006